(57)【要約】【課題】  書き換え可能な光ディスクに情報データを記録する場合に、光ディスクのアドレス毎の書き込み回数の差をなくして、情報データの記録品質が局所的に劣化しないようにすることができるようにする。【解決手段】  光ディスクに記録されている各情報データのフッタを読み出してＴＯＣを作成し、ＲＦ信号の有無を検出して情報データの記録領域の最後尾を検出して、作成されたＴＯＣに基づいて光ディスクに記録されている情報データの記録領域の最後尾から情報データを記録し、記録した情報データの記録領域の後にフッタを作成して情報データの記録開始位置、記録終了位置、記録回数を記録して、光ディスクに記録された情報データが消去されて情報データの記録領域が不連続になった場合、不連続になった情報データを連続して記録されている情報データの記録領域の最後尾に移動するようにする。【選択図】        図２
2006318603.tif 000002
【特許請求の範囲】
【請求項１】
書き換え可能な光ディスクに情報データを記録再生するディスク装置であって、
光ディスクに記録されている各情報データのフッタを読み出し、情報データの記録状態を検出して、ＴＯＣを作成する作成手段と、前記作成手段により作成されたＴＯＣを記憶する記憶手段と、光ディスクに記録されているＲＦ信号の有無を検出して、ＲＦ信号が検出されなくなった位置の直前の情報データのフッタを読み出し、光ディスクのデータ記録領域に記録されている情報データの記録領域の最後尾を検出する検出手段と、前記記憶手段に記憶されているＴＯＣに基づいて光ディスクに記録されている情報データの記録領域の最後尾から情報データを記録する記録手段と、光ディスクのデータ記録領域に記録された情報データを消去する消去手段と、前記消去手段により情報データが消去されたとき、光ディスクのデータ記録領域に記録された情報データが不連続になった場合、不連続になった情報データを光ディスクのデータ記録領域に連続して記録されている情報データの記録領域の最後尾に移動する移動手段と、光ディスクのデータ記録領域に情報データを記録したとき、記録した情報データの記録領域の後にフッタを作成して、記録した情報データの記録開始位置、記録終了位置、記録回数をフッタに記録し、情報データが記録されたデータ記録領域の記録回数を更新する更新手段とを備えたことを特徴とするディスク装置。
【請求項２】
書き換え可能な光ディスクに情報データを記録再生するディスク装置であって、
光ディスクに記録されている各情報データのフッタを読み出し、情報データの記録状態を検出して、ＴＯＣを作成する作成手段と、前記作成手段により作成されたＴＯＣを記憶する記憶手段と、光ディスクに記録されているＲＦ信号の有無を検出して、ＲＦ信号が検出されなくなった位置の直前の情報データのフッタを読み出し、光ディスクのデータ記録領域に記録されている情報データの記録領域の最後尾を検出する検出手段と、前記記憶手段に記憶されているＴＯＣに基づいて光ディスクに記録されている情報データの記録領域の最後尾から情報データを記録する記録手段と、光ディスクのデータ記録領域に情報データを記録したとき、記録した情報データの記録領域の後にフッタを作成して、記録した情報データの記録開始位置、記録終了位置、記録回数をフッタに記録し、情報データが記録されたデータ記録領域の記録回数を更新する更新手段とを備えたことを特徴とするディスク装置。
【請求項３】
光ディスクのデータ記録領域に記録された情報データを消去する消去手段と、前記消去手段により情報データが消去されたとき、光ディスクのデータ記録領域に記録された情報データが不連続になった場合、不連続になった情報データを光ディスクのデータ記録領域に連続して記録されている情報データの記録領域の最後尾に移動する移動手段とを更に備えたことを特徴とする請求項２記載のディスク装置。
【請求項４】
書き換え可能な光ディスクに情報データを記録再生するディスク装置の情報データ記録方法であって、
光ディスクのデータ記録領域に記録されている各情報データのフッタを読み出して、情報データの記録状態を検出し、ＴＯＣを作成してメモリに記憶するステップと、光ディスクに記録されているＲＦ信号の有無を検出して、ＲＦ信号が検出されなくなった位置の直前のフッタを読み出し、光ディスクのデータ記録領域に記録されている情報データの記録領域の最後尾を検出するステップと、情報データの記録が指令された場合、メモリに記憶されているＴＯＣに基づいて光ディスクのデータ記録領域に記録されている情報データの記録領域の最後尾から情報データを記録し、記録された情報データの記録領域の後にフッタを作成して、記録された情報データの記録開始位置、記録終了位置、記録回数をフッタに記録し、情報データが記録された光ディスクのデータ記録領域の記録回数を更新するステップと、情報データの消去が指令された場合、指定された情報データを光ディスクのデータ記録領域から消去するステップと、光ディスクのデータ記録領域に記録された情報データが不連続になった場合、不連続になった情報データを光ディスクのデータ記録領域に連続して記録されている情報データの記録領域の最後尾に移動し、情報データが記録された光ディスクのデータ記録領域の記録回数を更新するステップとを備えたことを特徴とするディスク装置の情報データ記録方法。
【発明の詳細な説明】
【技術分野】
【０００１】
本発明は、光ディスクに情報データを記録再生するディスク装置に係り、特に光ディスクへの情報データの局所的な記録を避けて、光ディスクのアドレス毎の記録回数の差をなくすことができるディスク装置及びその情報データ記録方法に関する。
【背景技術】
【０００２】
従来、ＤＶＤ−ＲＷ（Ｄｉｇｉｔａｌ  Ｖｅｒｓａｔｉｌｅ  Ｄｉｓｃ−ＲｅＷｒｉｔａｂｌｅ）、ＣＤ（Ｃｏｍｐａｃｔ  Ｄｉｓｃ）−ＲＷ等の書き換え可能な光ディスクに記録された情報データを消去して、新たな情報データを光ディスクに記録すると、情報データが消去されて空き領域となっている領域の中の若い番号のアドレスから順次記録され、ＴＯＣ（Ｔａｂｌｅ  ｏｆ  Ｃｏｎｔｅｎｔｓ）領域の情報データが書き換えられる。そのため、書き換え回数の多いアドレスの記録性能が次第に劣化して、書き込み回数の多いアドレスに記録された情報データの記録品質が劣化し、情報データを書き込む毎にＴＯＣ領域が書き換えられて、ＴＯＣ領域に記録された情報データの記録品質が劣化するという問題点があった。
背景技術としては、ハードディスクに記録された情報データが消去されたとき、その空領域にそれ以降のセクタに記録されている情報データを移動させて、それに続けて新たな情報データを記録するようにしたものがあった（例えば、特許文献１参照）。
【特許文献１】特開平１１−４５５１８号公報
【発明の開示】
【発明が解決しようとする課題】
【０００３】
しかしながら、背景技術で述べたものにおいては、ハードディスクに記録された情報データが消去されたとき、その空領域にそれ以降のセクタに記録されている情報データを移動させて、それに続けて新たな情報データを記録することができたが、ハードディスクに記録された情報データが消去されて、情報データの記録が不連続になったとき、情報データを移動させてハードディスクを最適化するようにしたものであって、上記問題点を解決するようにしたものではなかった。
本発明は、背景技術の有するこのような問題点に鑑みてなされたものであり、その目的とするところは、書き換え可能な光ディスクに情報データを記録する場合に、光ディスクのアドレス毎の書き込み回数の差をなくして、情報データの記録品質が局所的に劣化しないようにすることができるディスク装置及びその情報データ記録方法を提供しようとするものである。
【課題を解決するための手段】
【０００４】
上記目的を達成するため本発明においては、書き換え可能な光ディスクに情報データを記録再生するディスク装置であって、光ディスクに記録されている各情報データのフッタを読み出し、情報データの記録状態を検出して、ＴＯＣを作成する作成手段と、前記作成手段により作成されたＴＯＣを記憶する記憶手段と、光ディスクに記録されているＲＦ信号を検出して、ＲＦ信号が検出されなくなった位置の直前の情報データのフッタを読み出し、光ディスクのデータ記録領域に記録されている情報データの記録領域の最後尾を検出する検出手段と、前記記憶手段に記憶されているＴＯＣに基づいて光ディスクに記録されている情報データの記録領域の最後尾から情報データを記録する記録手段と、光ディスクのデータ記録領域に情報データを記録したとき、記録した情報データの記録領域の後にフッタを作成して、記録した情報データの記録開始位置、記録終了位置、記録回数をフッタに記録し、情報データが記録されたデータ記録領域の記録回数を更新する更新手段とを備える。
更に、光ディスクのデータ記録領域に記録された情報データを消去する消去手段と、前記消去手段により情報データが消去されたとき、光ディスクのデータ記録領域に記録された情報データが不連続になった場合、不連続になった情報データを光ディスクのデータ記録領域に連続して記録されている情報データの記録領域の最後尾に移動する移動手段とを備える。
これらの手段により、書き換え可能な光ディスクに情報データを記録する場合に、光ディスクのアドレス毎の書き込み回数の差をなくして、情報データの記録品質が局所的に劣化しないようにすることができる。
【発明の効果】
【０００５】
請求項１記載の発明に係るディスク装置によれば、光ディスクに記録されている各情報データのフッタを読み出し、情報データの記録状態を検出して、ＴＯＣを作成して記憶し、光ディスクに記録されているＲＦ信号を検出して、ＲＦ信号が検出されなくなった位置の直前の情報データのフッタを読み出し、光ディスクのデータ記録領域に記録されている情報データの記録領域の最後尾を検出して、記憶されているＴＯＣに基づいて光ディスクに記録されている情報データの記録領域の最後尾から情報データを記録し、光ディスクのデータ記録領域に記録された情報データが消去されたとき、光ディスクのデータ記録領域に記録された情報データが不連続になった場合、不連続になった情報データを光ディスクのデータ記録領域に連続して記録されている情報データの記録領域の最後尾に移動し、光ディスクのデータ記録領域に情報データを記録したとき、記録した情報データの記録領域の後にフッタを作成して、記録した情報データの記録開始位置、記録終了位置、記録回数をフッタに記録し、情報データが記録されたデータ記録領域の記録回数を更新するようにしているので、書き換え可能な光ディスクに情報データを記録する場合に、光ディスクのアドレス毎の書き込み回数の差をなくすとともに、記録領域が不連続となった情報データを連続した記録領域に移動させて、情報データの記録品質が局所的に劣化しないようにすることができる。
請求項２記載の発明に係るディスク装置によれば、光ディスクに記録されている各情報データのフッタを読み出し、情報データの記録状態を検出して、ＴＯＣを作成して記憶し、光ディスクに記録されているＲＦ信号を検出して、ＲＦ信号が検出されなくなった位置の直前の情報データのフッタを読み出し、光ディスクのデータ記録領域に記録されている情報データの記録領域の最後尾を検出して、記憶されているＴＯＣに基づいて光ディスクに記録されている情報データの記録領域の最後尾から情報データを記録し、光ディスクのデータ記録領域に情報データを記録したとき、記録した情報データの記録領域の後にフッタを作成して、記録した情報データの記録開始位置、記録終了位置、記録回数をフッタに記録し、情報データが記録されたデータ記録領域の記録回数を更新するようにしているので、書き換え可能な光ディスクに情報データを記録する場合に、光ディスクのアドレス毎の書き込み回数の差をなくして、情報データの記録品質が局所的に劣化しないようにすることができる。
請求項３記載の発明に係るディスク装置によれば、光ディスクのデータ記録領域に記録された情報データが消去されたとき、光ディスクのデータ記録領域に記録された情報データが不連続になった場合、不連続になった情報データを光ディスクのデータ記録領域に連続して記録されている情報データの記録領域の最後尾に移動するようにしているので、書き換え可能な光ディスクに情報データを記録する場合に、光ディスクのアドレス毎の書き込み回数の差をなくすとともに、記録領域が不連続となった情報データを連続した記録領域に移動させて、情報データの記録品質が局所的に劣化しないようにすることができる。
請求項４記載の発明に係るディスク装置及びその情報データ記録方法によれば、光ディスクのデータ記録領域に記録されている各情報データのフッタを読み出し、情報データの記録状態を検出して、ＴＯＣを作成してメモリに記憶し、光ディスクに記録されているＲＦ信号の有無を検出して、ＲＦ信号が検出されなくなった位置の直前のフッタを読み出し、光ディスクのデータ記録領域に記録されている情報データの記録領域の最後尾を検出して、情報データの記録が指令された場合、メモリに記憶されているＴＯＣに基づいて光ディスクのデータ記録領域に記録されている情報データの記録領域の最後尾から情報データを記録し、記録された情報データの記録領域の後にフッタを作成して、記録された情報データの記録開始位置、記録終了位置、記録回数をフッタに記録し、情報データが記録された光ディスクのデータ記録領域の記録回数を更新して、情報データの消去が指令された場合、指定された情報データを光ディスクのデータ記録領域から消去し、光ディスクのデータ記録領域に記録された情報データが不連続になった場合、不連続になった情報データを光ディスクのデータ記録領域に連続して記録されている情報データの記録領域の最後尾に移動し、情報データが記録された光ディスクのデータ記録領域の記録回数を更新するようにしているので、書き換え可能な光ディスクに情報データを記録する場合に、光ディスクのアドレス毎の書き込み回数の差をなくすとともに、記録領域が不連続となった情報データを連続した記録領域に移動させて、情報データの記録品質が局所的に劣化しないようにすることができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示す説明図であり、図３は本発明の一実施例のディスク装置の動作を示すフローチャートである。
まず、図１の本発明の一実施例のディスク装置の構成を示すブロック図を基に説明する。
ディスク装置１は、光ディスク２の記録面にレーザ光を照射して情報データを光ディスク２に記録するとともに、光ディスク２の記録面にレーザ光を照射してその反射光を検出して光ディスク２に記録された情報データを読み出す光ピックアップ３と、光ディスク２を回転させるスピンドルモータ４と、スピンドルモータ４を駆動して光ディスク２の回転速度をサーボ制御するスピンドルサーボ回路５と、光ピックアップ３を光ディスク２の半径方向に移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３により読み出された情報データのＲＦ（Ｒａｄｉｏ  Ｆｒｅｑｕｅｎｃｙ）信号を増幅するとともに、光ディスク２に記録する情報データのＲＦ信号を増幅するＲＦ増幅回路１０と、ＲＦ増幅回路１０により増幅された情報データのＲＦ信号を基準クロックに基づいて同期検出して復調し、復調された情報データの誤りを訂正して、所定の圧縮方式に基づいて圧縮された情報データを伸張して復号し、光ディスク２に記録された情報データを再生するとともに、情報データを符号化して所定の圧縮方式に基づいて圧縮する信号処理回路１１と、ディスク装置１のシステム全体を制御するマイコン１２と、マイコン１２が演算処理等を行う際に各種データを一時的に記憶するメモリ１３と、リモコン装置２０から送信された赤外線信号のリモコン信号を受信して、所定の電気信号に変換するリモコン受信部１４とで構成されている。
以上のように構成されたディスク装置及びその情報データ記録方法について、以下その動作について説明する。
光ディスク２がディスク装置１にローディングされると、マイコン１２は、スピンドルサーボ回路５に制御信号を送出して、スピンドルモータ４を駆動して光ディスク２を回転させ、スレッドサーボ回路７に制御信号を送出して、スレッドモータ６を駆動して光ピックアップ３を光ディスク２の半径方向にスレッド移動させ、トラッキングサーボ回路８とフォーカスサーボ回路９とに制御信号を送出して、光ピックアップ３のトラッキングとフォーカスとをサーボ制御し、光ディスク２のデータ記録領域に記録されている各情報データのフッタを読み出して、光ディスク２のデータ記録領域に記録されている情報データの記録状態を検出し、光ディスク２に記録されている情報データに関するＴＯＣを作成してメモリ１３に記憶する。そして、マイコン１２は、スレッドサーボ回路７に制御信号を送出して、スレッドモータ６を駆動して光ピックアップ３を光ディスク２の半径方向にスレッド移動させ、光ディスク２のデータ記録領域に記録されているＲＦ信号有無を検出して、ＲＦ信号が検出されなくなった位置の直前のフッタを読み出して情報データの記録領域の最後尾の次記録開始位置を検出する（図２（ａ）参照）。なお、ＲＦ信号の有無を確実に検出するために、光ディスク２のデータ記録領域の半径方向に一定距離の領域をＤＣイレースして未記録領域を作成するようになっている。
リモコン装置２０のキー操作により情報データの記録が指令されると、マイコン１２は、スレッドサーボ回路７に制御信号を送出して、スレッドモータ６を駆動して光ピックアップ３を光ディスク２の半径方向にスレッド移動させ、トラッキングサーボ回路８とフォーカスサーボ回路９とに制御信号を送出して、光ピックアップ３のトラッキングとフォーカスとをサーボ制御し、メモリ１３に記憶されているＴＯＣに基づいて光ディスク２のデータ記録領域に記録されている情報データの記録領域の最後尾の次記録開始位置から情報データを光ディスク２に記録して、情報データの記録領域の後にフッタを作成して光ディスク２のデータ記録領域に記録した情報データの記録開始位置、記録終了位置、記録回数をフッタに記録し、情報データが記録されたデータ記録領域の記録回数を更新する（図２（ａ）及び図２（ｃ）参照。図中、ｆ１〜ｆ４は情報データ１〜４のそれぞれのフッタを示している）。なお、光ディスク２のデータ記録領域の最後尾のフッタを読み出すことにより、光ディスク２の情報データの記録回数を知ることができる。また、光ディスク２のデータ記録領域に記録された情報データの記録領域の最後尾以降に情報データの消去領域が存在する場合、情報データが記録された記録領域の最後尾にＤＣイレースが行われて、未記録領域が作成される。
また、リモコン装置２０のキー操作により情報データの消去が指令されると、マイコン１２は、スレッドサーボ回路７に制御信号を送出して、スレッドモータ６を駆動して光ピックアップ３を光ディスク２の半径方向にスレッド移動させ、トラッキングサーボ回路８とフォーカスサーボ回路９とに制御信号を送出して、光ピックアップ３のトラッキングとフォーカスとをサーボ制御し、指定された情報データを光ディスク２のデータ記録領域から消去して、光ディスク２のデータ記録領域から消去した情報データの記録開始位置、記録終了位置、記録回数が記録されたフッタを無効にする（図２（ｂ）参照）。
光ディスクのデータ記録領域に記録された情報データの記録領域が不連続になった場合（図２（ｄ）参照）、マイコン１２は、スレッドサーボ回路７に制御信号を送出して、スレッドモータ６を駆動して光ピックアップ３を光ディスク２の半径方向にスレッド移動させ、トラッキングサーボ回路８とフォーカスサーボ回路９とに制御信号を送出して、光ピックアップ３のトラッキングとフォーカスとをサーボ制御し、光ディスク２のデータ記録領域に記録されている不連続になった情報データを光ディスク２のデータ記録領域に連続して記録されている情報データの記録領域の最後尾の次記録開始位置に移動し、情報データの記録領域の後にフッタを作成して、光ディスク２のデータ記録領域の最後尾に移動させた情報データの記録開始位置、記録終了位置、記録回数をフッタに記録し、情報データが移動されたデータ記録領域の記録回数を更新して、情報データが移動された記録領域の最後尾にＤＣイレースを行って未記録領域を作成する（図２（ｅ）参照）。なお、情報データを光ディスク２のデータ記録領域に連続して記録されている情報データの記録領域の最後尾に移動する際に、情報データの移動中に光ディスク２のデータ記録領域の終端に達した場合、情報データの続きが光ディスク２のデータ記録領域の始端の未記録領域となっている空領域に書き込んで、不連続になった情報データが光ディスク２のデータ記録領域に連続して記録されるようになっている（図２（ｅ）参照）。
また、図３の本発明の一実施例のディスク装置の動作を示すフローチャートを基に説明する。
光ディスクがディスク装置にローディングされると、ステップＳ１からステップＳ２に進み、ステップＳ２で、光ディスクのデータ記録領域に記録されている各情報データのフッタが読み出されて、光ディスクのデータ記録領域に記録されている情報データの記録状態が検出され、ＴＯＣが作成されてメモリに記憶され、ステップＳ３に進む。
ステップＳ３で、光ディスクのデータ記録領域に記録されているＲＦ信号の有無を検出して、ＲＦ信号が検出されなくなった位置の直前のフッタを読み出して情報データの記録領域の最後尾の次記録開始位置が検出され、ステップＳ４に進む。
ステップＳ４で、リモコン装置のキー操作により情報データの記録が指令されたか否かが判断され、情報データの記録が指令された場合、ステップＳ５に進み、情報データの記録が指令されていない場合、ステップＳ６に進む。
ステップＳ５で、メモリに記憶されているＴＯＣに基づいて光ディスクのデータ記録領域に記録されている情報データの記録領域の最後尾から情報データが光ディスクに記録され、情報データの記録領域の後にフッタが作成されて、光ディスクのデータ記録領域に記録された情報データの記録開始位置、記録終了位置、記録回数がフッタに記録され、情報データが記録されたデータ記録領域の記録回数が更新されて、情報データが記録された記録領域の最後尾にＤＣイレースが行われて未記録領域が作成され、ステップＳ６に進む。
ステップＳ６で、リモコン装置のキー操作により情報データの消去が指令されたか否かが判断され、情報データの消去が指令された場合、ステップＳ７に進み、情報データの消去が指令されてない場合、ステップＳ３に戻って、ステップＳ３からのステップを繰り返す。
ステップＳ７で、指定された情報データが光ディスクのデータ記録領域から消去され、光ディスクのデータ記録領域から消去された情報データの記録開始位置、記録終了位置、記録回数が記録されたフッタが無効にされて、ステップＳ８に進む。
ステップＳ８で、光ディスクのデータ記録領域に記録された情報データの記録領域が不連続になったか否かが判断され、光ディスクのデータ記録領域に記録された情報データの記録領域が不連続になった場合、ステップＳ９に進み、光ディスクのデータ記録領域に記録された情報データの記録領域が不連続になっていない場合、ステップＳ３に戻って、ステップＳ３からのステップを繰り返す。
ステップＳ９で、光ディスクのデータ記録領域に記録されている不連続になった情報データが光ディスクのデータ記録領域に連続して記録されている情報データの記録領域の最後尾に移動され、情報データが記録されたデータ記録領域の記録回数が更新されて、情報データが移動された記録領域の最後尾にＤＣイレースが行われて未記録領域が作成され、ステップＳ３に戻って、ステップＳ３からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の動作を示すフローチャートである。
【符号の説明】
【０００８】
１  ディスク装置
２  光ディスク
３  光ピックアップ
４  スピンドルモータ
５  スピンドルサーボ回路
６  スレッドモータ
７  スレッドサーボ回路
８  トラッキングサーボ回路
９  フォーカスサーボ回路
１０  ＲＦ増幅回路
１１  信号処理回路
１２  マイコン
１３  メモリ
１４  リモコン受信部
２０  リモコン装置
【図１】
2006318603.tif 000003
【図２】
2006318603.tif 000004
【図３】
2006318603.tif 000005